(57)【要約】  本発明に係る多機能杖軌跡データ収集端末は、杖構造に形成され、従来の杖構造を改良し、傘の機能を杖に統合することで、多段伸縮式の傘柄を必要とすることなく、傘布と同じ長さの傘柄を１つのみを必要とする。このため、傘柄がより細短くなって細い杖本体部の内部に収納されやすくなり、これにより、従来の杖構造を用いて新たな機能を拡張し、老人による利用に寄与する。また、本実施例では、従来の杖を用いて老人軌跡のビッグデータ管理を行い、複数の杖軌跡データ収集端末によって老人軌跡のビッグデータ情報を収集し、さらにデータ管理センターによって前記老人軌跡のビッグデータ情報を分析して老人軌跡の規則データを取得する。こうすることで、老人のために有効なサービスを提供することができる。
2020503138.tif 000002
【特許請求の範囲】
【請求項１】
多機能杖軌跡データ収集端末であって、
杖形状に形成され、
握り部及び杖本体部を含み、
前記杖本体部の頂部に開口して下方へ凹んだ第１収容室が形成され、
前記杖本体部の頂部上端部の横断面には、複数の係止穴が円周に沿って均等に分布するように設置され、
前記握り部の杖本体部に連結される下部には、開口が下向きの第２収容室が開設され、
前記第２収容室の内壁には、球状の係止突起を有し、
前記第１収容室の内壁には、ガイド部が設けられ、
前記第１収容室の内部に、閉じた傘布をガイド部に沿って収納可能であり、
傘布に連結する傘の中棒である傘柄の下端には、弾性フックが設けられ、
傘布を開く場合には、傘の中棒の下端の弾性フックが対応する係止穴内に挿入されて傘布の底部の支え部を形成し、
傘布を閉じた場合には、傘布がガイド部に沿って第１収容室内に収納され、前記握り部の第２収容室の内壁の球状の係止突起が対応する係止穴内に嵌め込まれて固定されることで一体的な杖が形成されることを特徴とする多機能杖軌跡データ収集端末。
【請求項２】
前記握り部に設置される測位処理モジュール、軌跡データ収集処理モジュール及び軌跡データ伝送処理モジュールをさらに含み、
測位処理モジュールは、老人の現在の地理的位置をリアルタイムに測位し、
軌跡データ収集処理モジュールは、測位された老人の現在の地理的位置情報を収集し、
軌跡データ伝送処理モジュールは、収集された老人の現在の地理的位置情報をデータ管理センターに伝送することを特徴とする請求項１に記載の多機能杖軌跡データ収集端末。
【請求項３】
前記測位処理モジュールは、ＧＰＳまたはモバイル基地局情報によって測位を行うことを特徴とする請求項２に記載の多機能杖軌跡データ収集端末。
【請求項４】
前記第１収容室の底部は、Ｖ字状またはＵ字状に形成され、
Ｖ字状またはＵ字状の最低部には、外部と連通する排水穴が開設されることを特徴とする請求項１に記載の多機能杖軌跡データ収集端末。
【請求項５】
握り部の先端には、照明灯が設置され、握り部の後端には、前記照明灯のスイッチが設置されることを特徴とする請求項１に記載の多機能杖軌跡データ収集端末。
【請求項６】
前記球状の係止突起の数は、係止穴の数よりも少なく、
前記弾性フックの数は、係止穴の数と同じであることを特徴とする請求項１に記載の多機能杖軌跡データ収集端末。
【請求項７】
係止穴の数は３つまたは４つであることを特徴とする請求項１に記載の多機能杖軌跡データ収集端末。
【請求項８】
多機能老人軌跡管理システムであって、
データ管理センターと、多機能杖軌跡データ収集端末とを含み、
前記多機能杖軌跡データ収集端末は、杖形状に形成され、握り部及び杖本体部を含み、
前記杖本体部の頂部に開口して下方へ凹んだ第１収容室が形成され、
前記杖本体部の頂部上端部の横断面には、複数の係止穴が円周に沿って均等に分布するように設置され、
前記握り部の杖本体部に連結される下部には、開口が下向きの第２収容室が開設され、
前記第２収容室の内壁には、球状の係止突起を有し、
前記第１収容室の内壁には、ガイド部が設けられ、
前記第１収容室の内部に、閉じた傘布をガイド部に沿って収納可能であり、
傘布に連結する傘の中棒である傘柄の下端には、弾性フックが設けられ、
傘布を開く場合には、傘の中棒の下端の弾性フックが対応する係止穴内に挿入されて傘布の底部の支え部を形成し、
傘布を閉じた場合には、傘布がガイド部に沿って第１収容室内に収納され、前記握り部の第２収容室の内壁の球状の係止突起が対応する係止穴内に嵌め込まれて固定されることで一体的な杖が形成されることを特徴とする多機能老人軌跡管理システム。
【請求項９】
前記データ管理センターは、
各杖軌跡データ収集端末から送信された各老人の地理的位置情報を受信する軌跡データ受信処理モジュールと、
受信された各老人の地理的位置情報に基づいて老人軌跡のビッグデータ情報を特定するとともに、前記老人軌跡のビッグデータ情報に基づいて分析を行って老人軌跡の規則データを取得する軌跡データ処理モジュールと、を含むことを特徴とする請求項８に記載の多機能老人軌跡管理システム。
【請求項１０】
前記第１収容室の底部は、Ｖ字状またはＵ字状に形成され、
Ｖ字状またはＵ字状の最低部には、外部と連通する排水穴が開設されることを特徴とする請求項８または９に記載の多機能老人軌跡管理システム。
【発明の詳細な説明】
【技術分野】
【０００１】
本発明は、新型杖システムに関し、特に、多機能杖軌跡データ収集端末及び多機能老人軌跡管理システムに関する。
【背景技術】
【０００２】
現在、中国はすでに高齢化社会に迎えつつあり、老人用品に対する需要がますます増える一方、機能もより一層多様化になっている。しかしながら、老人が日常的に使っている杖は機能が単一であり、現在の老人のニーズを満すことができない。現在、様々な新しい杖は開発されているが、いずれも複数の製品を簡単に組み合わせて得られるものであり、生産や利用の実際的な状況に合わず、老人によって容易に使用、操作することができない。また、どのようにしてビッグデータによって老人に有効なサービスを提供するかが、業界の直面する問題となっている。
【発明の概要】
【発明が解決しようとする課題】
【０００３】
本発明が解決しようとする技術的問題は、老人による操作や利用を容易にするとともに、老人の足取り軌跡のビッグデータを素早く収集、把握可能な多機能杖軌跡データ収集端末及び多機能老人軌跡管理システムを提供することである。
【課題を解決するための手段】
【０００４】
上記技術的問題を解決するために、本発明に係る多機能杖軌跡データ収集端末は杖形状に形成され、握り部及び杖本体部を含む。前記杖本体部の頂部に開口して下方へ凹んだ第１収容室が形成される。前記杖本体部の頂部上端部の横断面には、複数の係止穴が円周に沿って均等に分布するように設置される。握り部の杖本体部に連結される下部には、開口が下向きの第２収容室が開設される。第２収容室の内壁は、球状の係止突起を有する。前記第１収容室の内壁には、ガイド部が設けられる。前記第１収容室内には、閉じた傘布をガイド部に沿って収納可能である。傘布は、傘の中棒である傘柄に連結される。傘の中棒の下端には、弾性フックが設けられる。傘布を開く場合には、傘の中棒の下端の弾性フックが対応する係止穴に挿入されて傘布の底部の支え部を形成する。傘布を閉じる場合には、傘布がガイド部に沿って第１収容室に収納され、前記握り部の前記第２収容室の内壁の球状の係止突起が対応する係止穴に嵌め込まれて固定されることで一体的な杖が形成される。
【０００５】
また、多機能杖軌跡データ収集端末は、前記握り部に設置される測位処理モジュール、軌跡データ収集処理モジュール及び軌跡データ伝送処理モジュールをさらに含む。測位処理モジュールは、老人の現在の地理的位置をリアルタイムに測位する。軌跡データ収集処理モジュールは、測位された老人の現在の地理的位置情報を収集する。軌跡データ伝送処理モジュールは、収集された老人の現在の地理的位置情報をデータ管理センターに伝送する。
【０００６】
また、前記測位処理モジュールは、ＧＰＳまたはモバイル基地局情報によって測位を行う。
【０００７】
また、前記第１収容室の底部は、Ｖ字状またはＵ字状に形成される。Ｖ字状またはＵ字状の最低部には、外部と連通する排水穴が開設される。
【０００８】
また、握り部の先端には、照明灯が設置され、握り部の後端には、前記照明灯のスイッチが設置される。
【０００９】
また、前記球状の係止突起の数は、係止穴の数よりも少ない。また、前記弾性フックの数は、係止穴の数と同じである。
【００１０】
また、係止穴の数は３つまたは４つである。
【００１１】
本発明に係る多機能老人軌跡管理システムは、データ管理センターと、上記多機能杖軌跡データ収集端末とを含む。
【００１２】
また、前記データ管理センターは、各杖軌跡データ収集端末から送信された各老人の地理的位置情報を受信する軌跡データ受信処理モジュールと、受信された各老人の地理的位置情報に基づいて老人軌跡のビッグデータ情報を特定するとともに、前記老人軌跡のビッグデータ情報に基づいて分析を行って老人軌跡の規則データを取得する軌跡データ処理モジュールと、を含む。
【発明の効果】
【００１３】
従来技術に比べて、本発明は以下の顕著な効果を奏する。
本発明に係る杖軌跡データ収集端末は、従来の杖構造を改良し、傘の機能を杖に統合することで、多段伸縮式の傘柄を必要とすることなく、傘布と同じ長さの傘柄を１つのみを必要とする。このため、傘柄がより細短くなって細い杖本体部内に収納されやすくなり、これにより、従来の杖構造を用いて新たな機能を拡張し、老人による利用に寄与する。また、本実施例では、従来の杖を用いて老人軌跡のビッグデータ管理を行い、複数の杖軌跡データ収集端末によって老人軌跡のビッグデータ情報を収集し、さらにデータ管理センターによって前記老人軌跡のビッグデータ情報を分析して老人軌跡の規則データを取得する。こうすることで、老人のために有効なサービスを提供することができる。
【図面の簡単な説明】
【００１４】
【図１】本発明に係る多機能杖軌跡データ収集端末の一構成を示す図である。
【図２】本発明に係る多機能杖軌跡データ収集端末の他の構成を示す図である。
【図３】本発明に係る多機能老人軌跡管理システムにおける多機能杖軌跡データ収集端末によって軌跡データを収集するための機能ブロックを示す図である。
【図４】本発明に係る多機能杖軌跡データ収集端末の係止穴の分布を示す図である。
【図５】本発明に係る多機能杖軌跡データ収集端末の弾性フックの構成を示す図である。
【図６】本発明に係る多機能老人軌跡管理システムの構成を示す図である。
【図７】本発明に係る多機能老人軌跡管理システムにおけるデータ管理センターの具体的な実施例の構成を示す図である。
【発明を実施するための形態】
【００１５】
図１は、本発明に係る多機能杖軌跡データ収集端末の一構成を示す図である。本実施例に係る多機能杖軌跡データ収集端末は、従来の杖構造を改良し、傘の機能を杖に統合することで、多段伸縮式の傘柄を必要とすることなく、傘布と同じ長さの傘柄を１つのみを必要とする。詳細には、図１、図４及び図５に示すように、本実施形態の多機能杖軌跡データ収集端末は、握り部１及び杖本体部２を含む。前記杖本体部２の頂部に開口して下方に凹んだ第１収容室２１が形成される。前記杖本体部２の頂部上端部の横断面には、複数の係止穴２２が円周に沿って均等に分布するように設置される。握り部１の杖本体部２に連結される部分には、開口が下向きの第２収容室１１が開設される。第２収容室１１の内壁には、球状の係止突起１２を有する。
【００１６】
通常、従来の傘は、傘布、傘骨、及び傘の中棒である傘柄を有し、傘骨によって傘布を開閉するようになっている。また、傘布を閉じる場合または傘布を傘袋に入れる場合には、通常、時計回り方向または反時計回り方向に傘布を順に畳むが、使用者の細心さや忍耐心が必要であるほか、この操作に一定の時間も必要となる。また、操作が不良となった場合、傘布が乱雑になって傘布を傘袋に入れ難くなる。特に老人の場合は、年齢の原因で視力や集中力が低いので、上記操作がより難しくなる。そのため、本実施例では、第１収容室２１の内壁にガイド部２３が設置される。具体的には、ガイド部は雌ネジとして設けられてもよい。こうすることで、傘布を閉じて第１収容室２１に収納する場合は、雄ネジと雌ネジとの螺合に近似し、前記ガイド部２３により時計回り方向または反時計回り方向に傘布を容易に収納することができる。すなわち、傘布を閉じた後の傘布部が雄ネジに近似し、ガイド部が雌ネジに近似し、傘布とガイド部とは、ネジがネジ山に沿って回転することに近似し、最終的に螺合され、その操作が簡単である。また、本実施例では、傘布に１つの傘の中棒である傘柄が連結される。本実施例は、傘柄の下端に弾性フック３（図５を参照）が設けられることが従来技術と異なっている。傘布を開く場合には、杖から傘を引き出し、傘布を開いた後に弾性フック３を係止穴まで動かすとき、弾性フック３を押圧するようになる。弾性フック３は内向きに押圧され、弾力によって外へ飛び出して対応する係止穴内に挿入されて傘布の底部の支え部を形成する。すなわち、杖本体部及び傘の中棒が組み合わされて傘布に対する支えを形成する。傘布を閉じる場合には、弾性フック３が押圧されて内側に収縮して係止穴から離脱すると、傘布が杖本体部から分離するようになる。閉じた傘を杖本体部内に入れる場合は、傘布はガイド部に沿って第１収容室内に収納可能である。なお、前記握り部の第２収容室の内壁の球状の係止突起が対応する係止穴内に嵌め込まれて固定されることで、一体的な杖が形成される。
【００１７】
なお、傘が杖の中に収納される場合、雨水が傘に付着する可能性がある。本実施例では、雨水を容易に排水するために、前記第１収容室１１の底部がＶ字状またはＵ字状に設置され、Ｖ字状またはＵ字状の最低部に外部と連通する排水穴５が開設される。
【００１８】
また、本実施例では、握り部１と杖本体部２とが連結される場合、前記球状の係止突起の数が係止穴の数よりも少ない場合でも連結を実現することができる。なお、傘布をよりよく支えるために、前記弾性フックの数は係止穴の数と同じであることが好ましい。具体的には、係止穴の数が３つであってもよい。例えば、図２に示すように、杖本体部２の頂部上端部の横断面には、３つの係止穴が円周に沿って均等に分布するように設置されるが、実際の場合に４つ以上の係止穴が設置されてもよい。その詳細については省略する。
【００１９】
また、一般的に、老人は視力が良くないので、照明が暗い場合でも地面がはっきり見えるように、杖の機能をさらに拡張してもよい。例えば、本発明では、握り部１の先端に照明灯３を設置し、握り部１の後端に前記照明灯３のスイッチ４を設置してもよい。その詳細については省略する。
【００２０】
図２は、本発明に係る多機能杖軌跡データ収集端末の他の構成を示す図である。本実施形態では、従来の杖を用いて老人軌跡のビッグデータ管理を行うことができる。このために、本実施例の各多機能杖軌跡データ収集端末Ｓ１には、前記握り部１に測位処理モジュールＳ１１、軌跡データ収集処理モジュールＳ１２及び軌跡データ伝送処理モジュールＳ１３が設置される。なお、測位処理モジュールＳ１１は、老人の現在の地理的位置をリアルタイムに測位する。具体的には、前記測位処理モジュールＳ１１は、ＧＰＳまたはモバイル基地局情報によって測位を行ってもよいが、実際の場合に他の方法を用いてもよい。その詳細については省略する。
【００２１】
また、軌跡データ収集処理モジュールＳ１２は、測位された老人の現在の地理的位置情報を収集する。
【００２２】
また、軌跡データ伝送処理モジュールＳ１３は、収集された老人の現在の地理的位置情報をデータ管理センターへ伝送する。
【００２３】
図６に示すように、複数の本発明の杖軌跡データ収集端末Ｓ１及び１つのデータ管理センターＳ２からなる多機能老人軌跡管理システムでは、多くの杖軌跡データ収集端末Ｓ１によって老人軌跡のビッグデータ情報を収集し、さらに、データ管理センターＳ２によって前記老人軌跡のビッグデータ情報を分析して老人軌跡の規則データを取得する。こうすることで、老人のために有効なサービスを提供することができる。
【００２４】
なお、上述した機能を実現するために、図７に示すように、本実施例の前記データ管理センターＳ２は、軌跡データ受信処理モジュールＳ２１及び軌跡データ処理モジュールＳ２２を含んでもよい。軌跡データ受信処理モジュールＳ２１は、各杖軌跡データ収集端末から送信された各老人の地理的位置情報を受信する。軌跡データ処理モジュールＳ２２は、受信された各老人の地理的位置情報に基づいて老人軌跡のビッグデータ情報を特定するとともに、前記老人軌跡のビッグデータ情報を分析して老人軌跡の規則データを取得する。具体的には、例えば、前記老人軌跡のビッグデータ情報に基づいて、老人の集まる人気のあるスポットや老人に人気のある歩行路線などを含む老人軌跡の規則データを取得することができる。その詳細については省略する。
【００２５】
以上、本発明の好適な実施例を挙げて説明したが、これは本発明の実施形態の一例に過ぎない。説明した実施形態は、本発明の範囲を限定するものではないことを理解されたい。当業者であれば本発明の概念又は技術的思想を含む各種の変動や交換は、本発明の保護を求める範囲内に属するものである。
【図１】
2020503138.tif 000003
【図２】
2020503138.tif 000004
【図３】
2020503138.tif 000005
【図４】
2020503138.tif 000006
【図５】
2020503138.tif 000007
【図６】
2020503138.tif 000008
【図７】
2020503138.tif 000009
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
多機能杖軌跡データ収集端末であって、
杖形状に形成され、
握り部及び杖本体部を含み、
前記杖本体部の頂部に開口して下方へ凹んだ第１収容室が形成され、
前記杖本体部の頂部上端部の横断面には、複数の係止穴が円周に沿って均等に分布するように設置され、
前記握り部の杖本体部に連結される下部には、開口が下向きの第２収容室が開設され、
前記第２収容室の内壁には、球状の係止突起を有し、
前記第１収容室の内壁には、ガイド部が設けられ、
前記第１収容室の内部に、閉じた傘布をガイド部に沿って収納可能であり、
傘布に連結する傘の中棒である傘柄の下端には、弾性フックが設けられ、
傘布を開く場合には、傘の中棒の下端の弾性フックが対応する係止穴内に挿入されて傘布の底部の支え部を形成し、
傘布を閉じた場合には、傘布がガイド部に沿って第１収容室内に収納され、前記握り部の第２収容室の内壁の球状の係止突起が対応する係止穴内に嵌め込まれて固定されることで一体的な杖が形成されることを特徴とする多機能杖軌跡データ収集端末。
【請求項２】
前記第１収容室の底部は、Ｖ字状またはＵ字状に形成され、
Ｖ字状またはＵ字状の最低部には、外部と連通する排水穴が開設されることを特徴とする請求項１に記載の多機能杖軌跡データ収集端末。
【請求項３】
握り部の先端には、照明灯が設置され、握り部の後端には、前記照明灯のスイッチが設置されることを特徴とする請求項１に記載の多機能杖軌跡データ収集端末。
【請求項４】
前記球状の係止突起の数は、係止穴の数よりも少なく、
前記弾性フックの数は、係止穴の数と同じであることを特徴とする請求項１に記載の多機能杖軌跡データ収集端末。
【手続補正３】
【補正対象書類名】明細書
【補正対象項目名】００１６
【補正方法】変更
【補正の内容】
【００１６】
通常、従来の傘は、傘布、傘骨、及び傘の中棒である傘柄を有し、傘骨によって傘布を開閉するようになっている。また、傘布を閉じる場合または傘布を傘袋に入れる場合には、通常、時計回り方向または反時計回り方向に傘布を順に畳むが、使用者の細心さや忍耐心が必要であるほか、この操作に一定の時間も必要となる。また、操作が不良となった場合、傘布が乱雑になって傘布を傘袋に入れ難くなる。特に老人の場合は、年齢の原因で視力や集中力が低いので、上記操作がより難しくなる。そのため、本実施例では、第１収容室２１の内壁にガイド部２３が設置される。具体的には、ガイド部は雌ネジとして設けられてもよい。こうすることで、傘布を閉じて第１収容室２１に収納する場合は、雄ネジと雌ネジとの螺合に近似し、前記ガイド部２３により時計回り方向または反時計回り方向に傘布を容易に収納することができる。すなわち、傘布を閉じた後の傘布部が雄ネジに近似し、ガイド部が雌ネジに近似し、傘布とガイド部とは、ネジがネジ山に沿って回転することに近似し、最終的に螺合され、その操作が簡単である。また、本実施例では、傘布に１つの傘の中棒である傘柄が連結される。本実施例は、傘柄の下端に弾性フック６（図５を参照）が設けられることが従来技術と異なっている。傘布を開く場合には、杖から傘を引き出し、傘布を開いた後に弾性フック６を係止穴まで動かすとき、弾性フック６を押圧するようになる。弾性フック６は内向きに押圧され、弾力によって外へ飛び出して対応する係止穴内に挿入されて傘布の底部の支え部を形成する。すなわち、杖本体部及び傘の中棒が組み合わされて傘布に対する支えを形成する。傘布を閉じる場合には、弾性フック６が押圧されて内側に収縮して係止穴から離脱すると、傘布が杖本体部から分離するようになる。閉じた傘を杖本体部内に入れる場合は、傘布はガイド部に沿って第１収容室内に収納可能である。なお、前記握り部の第２収容室の内壁の球状の係止突起が対応する係止穴内に嵌め込まれて固定されることで、一体的な杖が形成される。
【手続補正４】
【補正対象書類名】明細書
【補正対象項目名】００１７
【補正方法】変更
【補正の内容】
【００１７】
なお、傘が杖の中に収納される場合、雨水が傘に付着する可能性がある。本実施例では、雨水を容易に排水するために、前記第１収容室２１の底部がＶ字状またはＵ字状に設置され、Ｖ字状またはＵ字状の最低部に外部と連通する排水穴５が開設される。
【手続補正５】
【補正対象書類名】図面
【補正対象項目名】図５
【補正方法】変更
【補正の内容】
【図５】
2020503138.tif 000010
【国際調査報告】
2020503138.tif 000011
2020503138.tif 000012
2020503138.tif 000013
2020503138.tif 000014